(57)【要約】【課題】内容物の交換時等における利便性を向上させることのできる包装用箱を提供する。【解決手段】後部１０１、第１の側部１０２、前部１０３および第２の側部１０４から成る中空の胴部１３０と、該胴部の下端開口を塞ぐ底部と、後部に形成される折り目を介して設けられる第１の蓋部１０５と、前部に形成される折り目を介して設けられる第２の蓋部１１０とを備え、第１の蓋部と第２の蓋部とは、箱として組み立てた状態において、何れが露出面側となるかを選択して重ね合わせることで、胴部の上端開口を塞ぐように構成される。【選択図】図１
2011201560.tif 000002
【特許請求の範囲】
【請求項１】
後部、第１の側部、前部および第２の側部から成る中空の胴部と、
該胴部の下端開口を塞ぐ底部と、
前記後部に形成される折り目を介して設けられる第１の蓋部と、
前記前部に形成される折り目を介して設けられる第２の蓋部と、
を備え、
前記第１の蓋部と前記第２の蓋部とは、箱として組み立てた状態において、何れが露出面側となるかを選択して重ね合わせることで、前記胴部の上端開口を塞ぐように構成されることを特徴とする包装用箱。
【請求項２】
前記第１の蓋部および前記第２の蓋部は、前記箱形成体の組立状態において前記第１の蓋部および前記第２の蓋部で前記上端開口を塞いだ際に、対向する前記前部および前記後部に形成される差込部に差し込まれる差込片をそれぞれ備えることを特徴とする請求項１に記載の包装用箱。
【請求項３】
前記後部および前記前部には、前記第１の蓋部および前記第２の蓋部との間の前記折り目に沿って、前記第１の蓋部または前記第２の蓋部を閉蓋状態で保持する保持片がそれぞれ形成され、
前記各差込片と前記後部または前記前部との境界部には、前記箱形成体の組立状態において前記第１の蓋部および前記第２の蓋部で前記上端開口を塞いだ際に、前記保持片を差し込む差込孔が形成されることを特徴とする請求項２に記載の包装用箱。
【請求項４】
前記第１の蓋部および前記第２の蓋部の一方の表面には内容物を収容した当該包装用箱の出荷時の情報を記し、他方の表面には内容物の回収時の情報を記すことを特徴とする請求項１から請求項３の何れかに記載の包装用箱。
【請求項５】
前記第１の蓋部および前記第２の蓋部の一方の表面には、内容物を収容した当該包装用箱の輸送用の出荷伝票を貼付することを特徴とする請求項１から請求項４の何れかに記載の包装用箱。
【発明の詳細な説明】
【技術分野】
【０００１】
本発明は、包装用箱に関するものである。
【背景技術】
【０００２】
従来、ダンボール紙等から成るブランクシートから一体に打ち抜かれた箱形成体を組み立てた包装用箱の一形態として、４側面の上下に上蓋と底蓋が設けられ開口部を閉鎖している構造のものがある。
【０００３】
このような包装用箱は、多種多様の内容物の収容、輸送、保管等に使用される。
【０００４】
例えば、プリンタ等に使用されるプロセスユニットも前述のような包装用箱に収容されて客先に輸送される。
【０００５】
ところで、前記プロセスユニットなどの場合には、交換等により当初収容していたプロセスユニットを取り出した後、使用済みのプロセスユニットを再度収容してメーカ等に返送する場合がある。
【０００６】
この場合には、包装用箱の上蓋の表面に貼付された輸送用の伝票を貼り換えたり、使用済みである旨を手書きするなどしていた。
【０００７】
このような包装用箱に関する技術は種々提案されている。
【０００８】
例えば、特開２００９−９０９８６号公報では、内フラップ部を付き合わせる仕様とし、外フラップ部を他部材やテープなどにより固定する包装箱が開示されている。
【０００９】
また、特開２００５−１７８８７３号公報では、内フラップと外フラップを１面で構成し、折り重ねる紙箱が開示されている。
【先行技術文献】
【特許文献】
【００１０】
【特許文献１】特開２００９−９０９８６号公報
【特許文献２】特開２００５−１７８８７３号公報
【発明の概要】
【発明が解決しようとする課題】
【００１１】
本発明は、内容物の交換時等における耐久性や利便性を向上させることのできる包装用箱を提供することを目的とする。
【課題を解決するための手段】
【００１２】
前記課題を解決するため、請求項１の発明に係る包装用箱は、後部、第１の側部、前部および第２の側部から成る中空の胴部と、該胴部の下端開口を塞ぐ底部と、前記後部に形成される折り目を介して設けられる第１の蓋部と、前記前部に形成される折り目を介して設けられる第２の蓋部と、を備え、前記第１の蓋部と前記第２の蓋部とは、箱として組み立てた状態において、何れが露出面側となるかを選択して重ね合わせることで、前記胴部の上端開口を塞ぐように構成されることを特徴とする。
【００１３】
請求項２の発明に係る包装用箱は、請求項１に記載の発明について、前記第１の蓋部および前記第２の蓋部は、前記箱形成体の組立状態において前記第１の蓋部および前記第２の蓋部で前記上端開口を塞いだ際に、対向する前記前部および前記後部に形成される差込部に差し込まれる差込片をそれぞれ備えることを特徴とする。
【００１４】
請求項３の発明に係る包装用箱は、請求項２に記載の発明について、前記後部および前記前部には、前記第１の蓋部および前記第２の蓋部との間の前記折り目に沿って、前記第１の蓋部または前記第２の蓋部を閉蓋状態で保持する保持片がそれぞれ形成され、前記各差込片と前記後部または前記前部との境界部には、前記箱形成体の組立状態において前記第１の蓋部および前記第２の蓋部で前記上端開口を塞いだ際に、前記保持片を差し込む差込孔が形成されることを特徴とする。
【００１５】
請求項４の発明に係る包装用箱は、請求項１から請求項３の何れかに記載の発明について、前記第１の蓋部および前記第２の蓋部の一方の表面には内容物を収容した当該包装用箱の出荷時の情報を記し、他方の表面には内容物の回収時の情報を記すことを特徴とする。
【００１６】
請求項５の発明に係る包装用箱は、請求項１から請求項４の何れかに記載の発明について、前記第１の蓋部および前記第２の蓋部の一方の表面には、内容物を収容した当該包装用箱の輸送用の出荷伝票を貼付することを特徴とする。
【発明の効果】
【００１７】
本発明によれば以下の効果を奏することができる。
【００１８】
すなわち、請求項１に記載の発明によれば、本構成を有していない場合に比較して、第１の蓋部と第２の蓋部とは、何れが露出面側となるかを選択して重ね合わせ、繰り返し使用する場合にも耐久性を向上させた包装用箱を提供することができる。
【００１９】
請求項２に記載の発明によれば、本構成を有していない場合に比較して、第１の蓋部と第２の蓋部の何れが露出面側となっても差込片を対応する差込部に差し込んで保持することができ、利便性を向上させた包装用箱を提供することができる。
【００２０】
請求項３に記載の発明によれば、本構成を有していない場合に比較して、第１の蓋部と第２の蓋部の何れが露出面側となっても保持片を対応する差込孔に差し込んでロックすることができ、利便性を向上させた包装用箱を提供することができる。
【００２１】
請求項４に記載の発明によれば、本構成を有していない場合に比較して、出荷時や内容物の回収時の利便性を向上させた包装用箱を提供することができる。
【００２２】
請求項５に記載の発明によれば、本構成を有していない場合に比較して、内容物の回収時の手間を減らすと共に、出荷伝票の抜き取りを防止することができる。
【図面の簡単な説明】
【００２３】
【図１】実施の形態に係る包装用箱１００の箱形成体１００Ａの構成を示す展開図である。
【図２】実施の形態に係る包装用箱１００の組み立て状態を示す斜視図である。
【図３】実施の形態に係る包装用箱１００への内容物の収容状況を示す斜視図である。
【図４】実施の形態に係る包装用箱１００の使用状態を示す斜視図である。
【図５】実施の形態に係る包装用箱１００の使用状態を示す斜視図である。
【図６】実施の形態に係る包装用箱１００の使用状態を示す斜視図である。
【図７】実施の形態に係る包装用箱１００の使用状態を示す斜視図である。
【発明を実施するための形態】
【００２４】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２５】
図１から図７を参照して、本発明についての実施の形態に係る包装用箱１００について説明する。
【００２６】
図１は、ダンボール紙等を打ち抜いたり、切断して形成する箱形成体（ブランクシート）１００Ａの構成を示す展開図である。
【００２７】
図１において、相互に一体に形成された箱形成体１００Ａは、後部１０１、第１の側部１０２、前部１０３および第２の側部１０４から成る中空の胴部１３０と、該胴部１３０の下端開口を塞ぐ底部１０１ａ、１０３ａと、後部１０１の一端部（図１上は上端部）に形成される折り目１５０を介して設けられる第１の蓋部１０５と、前部１０３の一端部（図１上は上端部）に形成される折り目１５０を介して設けられる第２の蓋部１１０とを備える。
【００２８】
また、後部１０１の左端には、第２の側部１０４の裏面と接着剤を介して接着される糊代部１０１ｂが形成されている。
【００２９】
また、第１の側部１０２および第２の側部１０４の上下端には、フラップ部１０２ａ、１０２ｂ、１０４ａ、１０４ｂがそれぞれ設けられている。
【００３０】
なお、第１の蓋部１０５と第２の蓋部１１０とは、箱形成体１００Ａの組立状態において、何れが露出面側となるかを選択して各折り目に沿って折り返され且つ重ね合わされて、胴部１３０の上端開口を塞ぐように構成される（図５、図６参照）。組み立ての仕方等については後述する。
【００３１】
これにより、包装用箱１００を繰り返し使用する場合に、耐久性が向上される。
【００３２】
また、第１の蓋部１０５および第２の蓋部１１０は、箱形成体１００Ａの組立状態において第１の蓋部１０５および第２の蓋部１１０で上端開口を塞いだ際に、対向する前部１０３および後部１０１に形成される差込部１６０、１６１に差し込まれる差込片１０６、１１１をそれぞれ備える。
【００３３】
これにより、第１の蓋部１０５と第２の蓋部１１０の何れが露出面側となっても差込片１０６、１１１を対応する差込部１６０、１６１に差し込んで保持され、ユーザ等の利便性が向上される。
【００３４】
また、後部１０１および前部１０３には、第１の蓋部１０５および第２の蓋部１１０との間の折り目１５０、１７０、１７１に沿って、第１の蓋部１０５または第２の蓋部１１０を閉蓋状態で保持する保持片（ロック片）１０８、１１３がそれぞれ切り込み等により形成され、各差込片１０６、１１１と後部１０１または前部１０３との境界部には、箱形成体１００Ａの組立状態において第１の蓋部１０５および第２の蓋部１１０で上端開口を塞いだ際に、保持片１０８、１１３を差し込む差込孔（ロック孔）１０７、１１２が形成されている。
【００３５】
これにより、第１の蓋部１０５と第２の蓋部１１０の何れが露出面側となっても保持片を対応する差込孔１０７、１１２に差し込んでロックされ、ユーザ等の利便性が向上される。
【００３６】
なお、本実施の形態においては、差込孔１０７、１１２と連接して、包装用箱１００の開封時に保持片１０８、１１３を外すためにユーザ等が指を差し入れる切欠部１０９、１１４が第１の蓋部１０５側および第２の蓋部１１０側に形成されている。
【００３７】
また、第１の蓋部１０５および第２の蓋部１１０の一方の表面には内容物を収容した当該包装用箱１００の出荷時の情報を記し、他方の表面には内容物の回収時の情報を記すようにしてもよい。
【００３８】
本実施の形態においては、例えば、包装用箱１００に収容する内容物がプリンタ等に用いるプロセスユニット５００（図３参照）である場合に、第２の蓋部１１０の表面には出荷時の情報として、例えば、そのプロセスユニット５００の「交換の仕方」を印刷して記し、第１の蓋部１０５の表面には、内容物の回収時の情報として、交換後のプロセスユニットが収容されていることを示す「使用済」を印刷して記している。なお、表示内容がこれらに限定されないことは言うまでもない。
【００３９】
これにより、出荷時や内容物の回収時の手間が省かれ利便性が向上される。
【００４０】
また、第１の蓋部１０５および第２の蓋部１１０の一方の表面には、内容物を収容した包装用箱１００の輸送用の出荷伝票を貼付するようにしてもよい。
【００４１】
本実施の形態においては、例えば、上記のように、「使用済」と印刷した第１の蓋部１０５の表面に、輸送用の出荷伝票を貼付する位置を示す指示線３００が印刷されている。
【００４２】
この指示線３００に沿って予め出荷伝票を貼付するようにしてもよい。
【００４３】
これにより、内容物（プロセスユニット５００）の回収時の手間を減らすと共に、予め貼付された出荷伝票の抜き取りが防止される。
【００４４】
次に、箱形成体１００Ａの組み立ての仕方について説明する。
【００４５】
まず、後部１０１、第１の側部１０２、前部１０３、第２の側部１０４および糊代部１０１ｂを折り目１５２、１５３、１５４、１５５に沿って折り返し、糊代部１０１ｂの表面側と第２の側部１０４の裏面側とを接着剤で接着して胴部１３０を形成する。
【００４６】
次いで、底部１０１ａ、１０３ａとを組み合わせて底部をする。
【００４７】
これにより、図２に示すような状態で、包装用箱１００が組み上がる。
【００４８】
ここで、図３に示すように、包装用箱１００の上端開口４００から収容すべき内容物（例えば、ＹＭＣＫに対応する４つのプロセスユニット５００）を収納する。
【００４９】
次に、図４に示すようにフラップ部１０２ｂ、１０４ｂを内側に折り返した後、まず、第１の蓋部１０５を閉じ、差込片１０６を差込部１６１に差し込み、保持片１１３を差込孔１０７に差し込む。
【００５０】
続いて、図５に示すように、第１の蓋部１０５の上に重ねて、第２の蓋部１１０を閉め、差込片１１１を差込部１６０に差し込み、保持片１０８を差込孔１１２に差し込む。
【００５１】
これにより、図６に示すように、例えば交換用のプロセスユニット５００を収容した包装用箱１００が組み上がった状態となる。
【００５２】
ここで、表側に位置する第２の蓋部１１０の表面には、プロセスユニット５００の「交換の仕方」等が印刷されているので、ユーザ等は作業手順を容易に把握し、利便性が向上される。
【００５３】
そして、客先等において包装用箱１００から内容物（プロセスユニット５００）を取り出す場合には、上述の組み立て手順と逆の手順で開封する。
【００５４】
次いで、プロセスユニット５００の交換作業等を行った後、交換済み（使用済）のプロセスユニット５００を前出の図３と同様の手順で同一の包装用箱１００に詰め直す。
【００５５】
次に、フラップ部１０２ｂ、１０４ｂを内側に折り返した後、まず、第２の蓋部１１０を閉め、差込片１１１を差込部１６０に差し込み、保持片１０８を差込孔１１２に差し込む。
【００５６】
続いて、第２の蓋部１１０の上に重ねて、第１の蓋部１０５を閉じ、差込片１０６を差込部１６１に差し込み、保持片１１３を差込孔１０７に差し込む。
【００５７】
これにより、図７に示すように、例えば交換済み（使用済）のプロセスユニット５００を収容した包装用箱１００が組み上がった状態となる。
【００５８】
ここで、本実施の形態において、表側に位置する第１の蓋部１０５の表面には、交換後のプロセスユニットが収容されていることを示す「使用済」の文字が印刷されているので、一目で交換済みの包装用箱であることが認識される。
【００５９】
しかも、従来のように、包装用箱１００の表面に、ボールペンやフェルトペン等による手書きで上記「使用済み」等の文字を記すことがないので、表面が汚れることが抑制され、包装用箱１００が繰り返して使用される。
【００６０】
また、包装用箱１００の表面に、返送先等を記載した輸送用の出荷伝票を予め貼付しておく場合には、ユーザ等の手間が省かれ利便性が向上される。
【００６１】
なお、本実施の形態では、第１の蓋部１０５と第２の蓋部１１０とは、同じサイズ、同じ形状とされているが、これに限定されず、例えば、第１の蓋部１０５と第２の蓋部１１０の何れかのサイズ（面積）を他方より小さくしたり、大きくする場合であってもよいし、或いは何れかの形状を矩形状以外とする場合であってもよい。
【００６２】
例えば、第１の蓋部１０５に「商品名」、「使用前」との印刷が施される場合に、第２の蓋部１１０が上側になったときに「使用前」の印刷部を隠し、「使用後」の印刷部が露出するように、第２の蓋部１１０のサイズや形状を設計、選択するようにしてもよい。
【００６３】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００６４】
例えば、後部１０１、第１の側部１０２、前部１０３、第２の側部１０４等の表面の一部において、クリアニスや透明印刷等による表面保護剤の塗布を行わないようにしてもよい。
【００６５】
これにより、表面保護剤の塗布を行わなかった部位に、印鑑の押捺やボールペン等によるサインをして、包装用箱１００の使用回数等を管理し、利便性が一層向上される。
【産業上の利用可能性】
【００６６】
本発明による包装用箱は、プリンタや複合機等のプロセスユニット、トナーカートリッジなどの包装や梱包に適用することができる。
【符号の説明】
【００６７】
１００  包装用箱
１００Ａ  箱形成体
１０１  後部
１０１ａ  底部
１０１ｂ  糊代部
１０２  側部
１０２ａ  フラップ部
１０２ｂ  フラップ部
１０３  前部
１０４  側部
１０５  蓋部
１０６  差込片
１０７  差込孔
１０８  保持片
１０９  切欠部
１１０  蓋部
１１１  差込片
１１２  差込孔
１１３  保持片
１３０  胴部
１５０  折り目
１５２  折り目
１６０  差込部
１６１  差込部
３００  指示線
４００  上端開口
５００  プロセスユニット
【図１】
2011201560.tif 000003
【図２】
2011201560.tif 000004
【図３】
2011201560.tif 000005
【図４】
2011201560.tif 000006
【図５】
2011201560.tif 000007
【図６】
2011201560.tif 000008
【図７】
2011201560.tif 000009